(57)【要約】本願は、情報指示方法、装置及びコンピュータ記憶媒体を開示し、前記方法は、端末が基地局に第１の指示情報を送信することを含み、前記第１の指示情報は、前記端末がサポート又は傾向がある安全情報のサイズを示し、又は、端末がコアネットワークに第１の指示情報を送信し、前記コアネットワークを介して前記第１の指示情報を基地局に送信することを含み、前記第１の指示情報は、前記端末がサポート又は傾向がある安全情報のサイズを示し、ここで、前記安全情報のサイズは、前記基地局がデータの復号化及び完全性保護チェックを行うために使用される。
2021511731.tif 000002
【特許請求の範囲】
【請求項１】
端末が基地局に第１の指示情報を送信することを含み、
前記第１の指示情報は、前記端末がサポート又は傾向がある安全情報のサイズを示し、
前記安全情報が完全性保護チェックコード及び／又は鍵を含む
ことを特徴とする情報指示方法。
【請求項２】
前記端末が基地局に第１の指示情報を送信することは、
前記端末が無線リソース制御ＲＲＣ接続確立を行う過程において、ＲＲＣメッセージで前記基地局に前記第１の指示情報を送信することを含み、
前記ＲＲＣメッセージは、アクセス層ＡＳが安全に活性化される前に前記端末が前記基地局に送信したＲＲＣメッセージである
ことを特徴とする請求項１に記載の情報指示方法。
【請求項３】
前記ＲＲＣメッセージは、ＲＲＣ接続確立要求メッセージ、又はＲＲＣ接続確立完了メッセージである
ことを特徴とする請求項２に記載の情報指示方法。
【請求項４】
前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項１〜３のいずれか１項に記載の情報指示方法。
【請求項５】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項１〜３のいずれか１項に記載の情報指示方法。
【請求項６】
基地局が端末により送信された第１の指示情報を受信することを含み、前記第１の指示情報は、前記端末がサポート又は傾向がある安全情報のサイズを示し、
前記安全情報が完全性保護チェックコード及び／又は鍵を含む
ことを特徴とする情報指示方法。
【請求項７】
前記基地局が端末により送信された第１の指示情報を受信することは、
前記端末がＲＲＣ接続確立を行う過程において、前記基地局がＲＲＣメッセージで前記端末により送信された前記第１の指示情報を受信することを含み、
前記ＲＲＣメッセージは、ＡＳが安全に活性化される前に前記端末が前記基地局に送信したＲＲＣメッセージである
ことを特徴とする請求項６に記載の情報指示方法。
【請求項８】
前記ＲＲＣメッセージは、ＲＲＣ接続確立要求メッセージ、又はＲＲＣ接続確立完了メッセージである
ことを特徴とする請求項７に記載の情報指示方法。
【請求項９】
切替が発生する場合、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む
ことを特徴とする請求項６〜８のいずれか１項に記載の情報指示方法。
【請求項１０】
前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項６〜９のいずれか１項に記載の情報指示方法。
【請求項１１】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項６〜９のいずれか１項に記載の情報指示方法。
【請求項１２】
端末がコアネットワークに第１の指示情報を送信し、前記コアネットワークを介して前記第１の指示情報を基地局に送信することを含み、
前記第１の指示情報は、前記端末がサポート又は傾向がある安全情報のサイズを示し、
前記安全情報が完全性保護チェックコード及び／又は鍵を含む
ことを特徴とする情報指示方法。
【請求項１３】
前記端末がコアネットワークに第１の指示情報を送信することは、
前記端末がネットワーク登録を行う時に、登録要求メッセージで前記コアネットワークに前記第１の指示情報を送信することを含む
ことを特徴とする請求項１２に記載の情報指示方法。
【請求項１４】
前記端末がコアネットワークに第１の指示情報を送信することは、
前記端末がロケーションエリア更新を行う時に、登録要求メッセージで前記コアネットワークに前記第１の指示情報を送信することを含む
ことを特徴とする請求項１２に記載の情報指示方法。
【請求項１５】
前記コアネットワークが前記第１の指示情報を基地局に送信することは、
前記コアネットワークが初期コンテキスト確立の過程において、初期コンテキスト確立過程のメッセージで前記第１の指示情報を基地局に送信することを含む
ことを特徴とする請求項１２〜１４のいずれか１項に記載の情報指示方法。
【請求項１６】
前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項１２〜１５のいずれか１項に記載の情報指示方法。
【請求項１７】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項１２〜１５のいずれか１項に記載の情報指示方法。
【請求項１８】
基地局がコアネットワークにより送信された第１の指示情報を受信することを含み、前記第１の指示情報は、前記端末がサポート又は傾向がある安全情報のサイズを示し、
前記安全情報が完全性保護チェックコード及び／又は鍵を含む
ことを特徴とする情報指示方法。
【請求項１９】
前記基地局がコアネットワークにより送信された第１の指示情報を受信することは、
前記コアネットワークの初期コンテキスト確立の過程において、前記基地局が初期コンテキスト確立過程のメッセージで前記コアネットワークにより送信された前記第１の指示情報を受信することを含む
ことを特徴とする請求項１８に記載の情報指示方法。
【請求項２０】
切替が発生する場合、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む
ことを特徴とする請求項１８又は１９に記載の情報指示方法。
【請求項２１】
前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項１８〜２０のいずれか１項に記載の情報指示方法。
【請求項２２】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項１８〜２０のいずれか１項に記載の情報指示方法。
【請求項２３】
送信ユニットを備える情報指示装置であって、
前記送信ユニットは、基地局に第１の指示情報を送信するように構成され、前記第１の指示情報は、前記端末がサポート又は傾向がある安全情報のサイズを示し、
前記安全情報が完全性保護チェックコード及び／又は鍵を含む
ことを特徴とする情報指示装置。
【請求項２４】
前記送信ユニットは、ＲＲＣ接続確立を行う過程において、ＲＲＣメッセージで前記基地局に前記第１の指示情報を送信するように構成され、
前記ＲＲＣメッセージは、ＡＳが安全に活性化される前に前記端末が前記基地局に送信したＲＲＣメッセージである
ことを特徴とする請求項２３に記載の情報指示装置。
【請求項２５】
前記ＲＲＣメッセージは、ＲＲＣ接続確立要求メッセージ、又はＲＲＣ接続確立完了メッセージである
ことを特徴とする請求項２４に記載の情報指示装置。
【請求項２６】
前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項２３〜２５のいずれか１項に記載の情報指示装置。
【請求項２７】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項２３〜２５のいずれか１項に記載の情報指示装置。
【請求項２８】
受信ユニットを備える情報指示装置であって、
前記受信ユニットは、端末により送信された第１の指示情報を受信するように構成され、
前記第１の指示情報は、前記端末がサポート又は傾向がある安全情報のサイズを示し、
前記安全情報が完全性保護チェックコード及び／又は鍵を含む
ことを特徴とする情報指示装置。
【請求項２９】
前記受信ユニットは、ＲＲＣ接続確立を行う過程において、ＲＲＣメッセージで前記端末により送信された前記第１の指示情報を受信するように構成され、
前記ＲＲＣメッセージは、ＡＳが安全に活性化される前に前記端末が前記基地局に送信したＲＲＣメッセージである
ことを特徴とする請求項２８に記載の情報指示装置。
【請求項３０】
前記ＲＲＣメッセージは、ＲＲＣ接続確立要求メッセージ、又はＲＲＣ接続確立完了メッセージである
ことを特徴とする請求項２９に記載の情報指示装置。
【請求項３１】
前記装置は、さらに、送信ユニットを含み、
前記送信ユニットは、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する
ことを特徴とする請求項２８〜３０のいずれか１項に記載の情報指示装置。
【請求項３２】
前記第１の指示情報が前記端末がサポートする安全情報のサイズを示す場合、
前記装置は、さらに、選択ユニットを含み、
前記選択ユニットは、前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するように構成される
ことを特徴とする請求項２８〜３０のいずれか１項に記載の情報指示装置。
【請求項３３】
前記第１の指示情報が前記端末に傾向がある安全情報のサイズを示す場合、
前記装置は、さらに、完全性保護ユニットを含み、
前記完全性保護ユニットは、前記端末に傾向がある安全情報のサイズに基づいて、データの復号化及び完全性保護チェック、又は、データの暗号解読を行うように構成されることを特徴とする請求項２８〜３０のいずれか１項に記載の情報指示装置。
【請求項３４】
送信ユニットを備える情報指示装置であって、
前記送信ユニットは、コアネットワークに第１の指示情報を送信し、前記コアネットワークを介して前記第１の指示情報を基地局に送信するように構成され、
前記第１の指示情報は、前記端末がサポート又は傾向がある安全情報のサイズを示し、
前記安全情報が完全性保護チェックコード及び／又は鍵を含む
ことを特徴とする情報指示装置。
【請求項３５】
前記送信ユニットは、ネットワーク登録を行う時に、登録要求メッセージで前記コアネットワークに前記第１の指示情報を送信するように構成される
ことを特徴とする請求項３４に記載の情報指示装置。
【請求項３６】
前記送信ユニットは、ロケーションエリア更新を行う時に、ロケーションエリア更新要求メッセージで前記コアネットワークに前記第１の指示情報を送信するように構成される
ことを特徴とする請求項３４に記載の情報指示装置。
【請求項３７】
前記コアネットワークが前記第１の指示情報を基地局に送信することは、
前記コアネットワークが初期コンテキスト確立の過程において、初期コンテキスト確立過程のメッセージで前記第１の指示情報を基地局に送信することを含む
ことを特徴とする請求項３４〜３６のいずれか１項に記載の情報指示装置。
【請求項３８】
前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項３４〜３７のいずれか１項に記載の情報指示装置。
【請求項３９】
前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される
ことを特徴とする請求項３４〜３７のいずれか１項に記載の情報指示装置。
【請求項４０】
受信ユニットを備える情報指示装置であって、
前記受信ユニットは、コアネットワークにより送信された第１の指示情報を受信するように構成され、
前記第１の指示情報は、前記端末がサポート又は傾向がある安全情報のサイズを示し、
前記安全情報が完全性保護チェックコード及び／又は鍵を含む
ことを特徴とする情報指示装置。
【請求項４１】
前記受信ユニットは、初期コンテキスト確立の過程において、初期コンテキスト確立過程のメッセージで前記コアネットワークにより送信された前記第１の指示情報を受信するように構成される
ことを特徴とする請求項４０に記載の情報指示装置。
【請求項４２】
前記装置は、さらに、送信ユニットを含み、
前記送信ユニットは、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する
ことを特徴とする請求項４０又は４１に記載の情報指示装置。
【請求項４３】
前記第１の指示情報が前記端末がサポートする安全情報のサイズを示す場合
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される
ことを特徴とする請求項４０〜４２のいずれか１項に記載の情報指示装置。
【請求項４４】
前記第１の指示情報が前記端末に傾向がある安全情報のサイズを示す場合、
前記装置は、さらに、完全性保護ユニットを含み、
前記完全性保護ユニットは、前記端末に傾向がある安全情報のサイズに基づいて、データの復号化及び完全性保護チェック、又は、データの暗号解読を行うように構成される
ことを特徴とする請求項４０〜４２のいずれか１項に記載の情報指示装置。
【請求項４５】
プロセッサによって実行されると、請求項１〜５のいずれか１項に記載の方法ステップ、または請求項６〜１１のいずれか１項に記載の方法ステップ、または請求項１２〜１７のいずれか１項に記載の方法ステップ、または請求項１８〜２２のいずれか１項に記載の方法ステップを実現するコンピュータ実行可能命令を記憶した
ことを特徴とするコンピュータ記憶媒体。
【発明の詳細な説明】
【技術分野】
【０００１】
本願は、無線通信技術分野に関し、特に、情報指示方法、装置及びコンピュータ記憶媒体に関する。
【背景技術】
【０００２】
３ＧＰＰ (３ｒｄ  Ｇｅｎｅｒａｔｉｏｎ  Ｐａｒｔｎｅｒｓｈｉｐ  Ｐｒｏｊｅｃｔ )の国際標準団体は、今後の生活におけるサービスの速度、遅延、高速移動性、エネルギー効率の追求、及びトラフィックの多様性、複雑性を満たすために、５Ｇ (５ ｔｈ Ｇｅｎｅｒａｔｉｏｎ )の移動通信技術を開発し始めた。
【０００３】
５Ｇ移動通信技術の主な応用シナリオは、エンハンスメント型移動ブロードバンド( ｅＭＢＢ，Ｅｎｈａｎｃｅ Ｍｏｂｉｌｅ Ｂｒｏａｄｂａｎｄ )、低遅延高信頼通信( ＵＲＬＬＣ，Ｕｌｔｒａ Ｒｅｌｉａｂｌｅ Ｌｏｗ Ｌａｔｅｎｃｙ Ｃｏｍｍｕｎｉｃａｔｉｏｎ )、大規模機器系通信( ｍＭＴＣ，ｍａｓｓｉｖｅ Ｍａｃｈｉｎｅ Ｔｙｐｅ Ｃｏｍｍｕｎｉｃａｔｉｏｎ )である。
【０００４】
５Ｇ移動通信技術は、次世代無線通信技術( ＮＲ，Ｎｅｗ Ｒａｄｉｏ )とも呼ばれ、ＮＲの早期展開では完全なＮＲカバレッジを達成することが困難であり、そのため、典型的なネットワークカバレッジは、ロングタームエボリューション( ＬＴＥ，Ｌｏｎｇ Ｔｅｒｍ Ｅｖｏｌｕｔｉｏｎ )カバレッジとＮＲカバレッジとの組み合わせである。さらに、移動体事業者のＬＴＥにおける早期投資を保護するために、ＬＴＥとＮＲとの間の緊密な結合( ｔｉｇｈｔ ｉｎｔｅｒｗｏｒｋｉｎｇ )動作モードが提案されている。もちろん、ＮＲセルは、独立して配置されてもよい。
【０００５】
ＬＴＥでは、データベアラ( ＤＲＢ、Ｄａｔａ Ｒｅｓｏｕｒｃｅ Ｂｅａｒｅｒ )のための完全性保護の必要性はないが、ＮＲではＤＲＢのための完全性保護の必要性が増加し、このために、パケットデータアグリゲーションプロトコル( ＰＤＣＰ、Ｐａｃｋｅｔ Ｄａｔａ Ｃｏｎｖｅｒｇｅｎｃｅ Ｐｒｏｔｏｃｏｌ )サービスデータユニット( ＳＤＵ、Ｓｅｒｖｉｃｅ Ｄａｔａ Ｕｎｉｔ )の各々が、完全性保護チャックのための完全性保護チャックコード( ＭＡＣ−Ｉ )を追加的に搬送する。ＬＴＥではＭＡＣ−Ｉサイズは３２ ｂｉｔであり、現在ＮＲではこのＭＡＣ−Ｉのサイズは３２ ｂｉｔでも６４ ｂｉｔでもよい。ネットワーク側が端末がサポートまたは傾向を持つＭＡＣ−Ｉのサイズをどのように決定するかが課題である。
【発明の概要】
【０００６】
上記課題を解決するために、本願の実施例は、情報指示方法、装置及びコンピュータ記憶媒体を提供する。
【０００７】
本願の実施例の情報指示方法は、
端末が基地局に第１の指示情報を送信することを含み、前記第１の指示情報は、前記端末がサポート又は傾向がある安全情報のサイズを示し、
ここで、前記安全情報が完全性保護チェックコード及び／又は鍵を含む。
【０００８】
本願の実施例において、前記端末が基地局に第１の指示情報を送信することは、
前記端末が無線リソース制御（ＲＲＣ、Ｒａｄｉｏ Ｒｅｓｏｕｒｃｅ Ｃｏｎｔｒｏｌ）接続確立を行うの過程において、ＲＲＣメッセージで前記基地局に前記第１の指示情報を送信することを含み、
ここで、前記ＲＲＣメッセージは、アクセス層（ＡＳ、Ａｃｃｅｓｓ Ｓｔｒａｔｕｍ）安全に活性化される前に前記端末が前記基地局に送信したＲＲＣメッセージである。
【０００９】
本願の実施例において、前記ＲＲＣメッセージは、ＲＲＣ接続確立要求メッセージ、又はＲＲＣ接続確立完了メッセージである。
【００１０】
本願の実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００１１】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００１２】
本願の実施例の情報指示方法は、
基地局が端末により送信された第１の指示情報を受信することを含み、前記第１の指示情報は、前記端末がサポート又は傾向がある安全情報のサイズを示し、
ここで、前記安全情報が完全性保護チェックコード及び／又は鍵を含む。
【００１３】
本願の実施例において、前記基地局が端末により送信された第１の指示情報を受信することは、
前記端末がＲＲＣ接続確立を行う過程において、前記基地局がＲＲＣメッセージで前記端末により送信された前記第１の指示情報を受信することを含み、
ここで、前記ＲＲＣメッセージは、ＡＳが安全に活性化される前に前記端末が前記基地局に送信したＲＲＣメッセージである。
【００１４】
本願の実施例において、前記ＲＲＣメッセージは、ＲＲＣ接続確立要求メッセージ、又はＲＲＣ接続確立完了メッセージである。
【００１５】
本願の実施例において、切替が発生する場合、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む。
【００１６】
本願の実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００１７】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００１８】
本願の実施例の情報指示方法は、
端末がコアネットワークに第１の指示情報を送信し、前記コアネットワークを介して前記第１の指示情報を基地局に送信することを含み、前記第１の指示情報は、前記端末がサポート又は傾向がある安全情報のサイズを示し、
ここで、前記安全情報が完全性保護チェックコード及び／又は鍵を含む。
【００１９】
本願の実施例において、前記端末がコアネットワークに第１の指示情報を送信することは、
前記端末がネットワーク登録を行う時に、登録要求メッセージで前記コアネットワークに前記第１の指示情報を送信することを含む。
【００２０】
本願の実施例において、前記端末がコアネットワークに第１の指示情報を送信することは、
前記端末がロケーションエリア更新を行う時に、ロケーションエリア更新要求メッセージで前記コアネットワークに前記第１の指示情報を送信することを含む。
【００２１】
本願の実施例において、前記コアネットワークが前記第１の指示情報を基地局に送信することは、
前記コアネットワークが初期コンテキスト確立の過程において、初期コンテキスト確立過程のメッセージで前記第１の指示情報を基地局に送信することを含む。
【００２２】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００２３】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００２４】
本願の実施例の情報指示方法は、
基地局がコアネットワークにより送信された第１の指示情報を受信することを含み、前記第１の指示情報は、前記端末がサポート又は傾向がある安全情報のサイズを示し、
ここで、前記安全情報が完全性保護チェックコード及び／又は鍵を含む。
【００２５】
本願の実施例において、前記基地局がコアネットワークにより送信された第１の指示情報を受信することは、
前記コアネットワークの初期コンテキスト確立の過程において、前記基地局が初期コンテキスト確立過程のメッセージで前記コアネットワークにより送信された前記第１の指示情報を受信することを含む。
【００２６】
本願の実施例において、切替が発生する場合、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む。
【００２７】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００２８】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００２９】
本願の実施例の情報指示装置は、送信ユニットを含み、
送信ユニットは、基地局に第１の指示情報を送信するように構成され、前記第１の指示情報は、前記端末がサポート又は傾向がある安全情報のサイズを示し、
ここで、前記安全情報が完全性保護チェックコード及び／又は鍵を含む。
【００３０】
本願の実施例において、前記送信ユニットは、ＲＲＣ接続確立を行う過程において、ＲＲＣメッセージで前記基地局に前記第１の指示情報を送信するように構成され、
ここで、前記ＲＲＣメッセージは、ＡＳが安全に活性化される前に前記端末が前記基地局に送信したＲＲＣメッセージである。
【００３１】
本願の実施例において、前記ＲＲＣメッセージは、ＲＲＣ接続確立要求メッセージ、又はＲＲＣ接続確立完了メッセージである。
【００３２】
本願の実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００３３】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００３４】
本願の実施例の情報指示装置は、受信ユニットを含み、
受信ユニットは、端末により送信された第１の指示情報を受信するように構成され、前記第１の指示情報は、前記端末がサポート又は傾向がある安全情報のサイズを示し、
ここで、前記安全情報が完全性保護チェックコード及び／又は鍵を含む。
【００３５】
本願の実施例において、前記受信ユニットは、ＲＲＣ接続確立を行う過程において、ＲＲＣメッセージで前記端末により送信された前記第１の指示情報を受信するように構成され、
ここで、前記ＲＲＣメッセージは、ＡＳが安全に活性化される前に前記端末が前記基地局に送信したＲＲＣメッセージである。
【００３６】
本願の実施例において、前記ＲＲＣメッセージは、ＲＲＣ接続確立要求メッセージ、又はＲＲＣ接続確立完了メッセージである。
【００３７】
本願の実施例において、前記装置は、さらに、送信ユニットを含み、
送信ユニットは、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する。
【００３８】
本願の実施例において、前記第１の指示情報が前記端末がサポートする安全情報のサイズを示す場合、
前記装置は、さらに、選択ユニットを含み、選択ユニットは、前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するように構成される。
【００３９】
本願の実施例において、前記第１の指示情報が前記端末に傾向がある安全情報のサイズを示す場合、
前記装置は、さらに、完全性保護ユニットを含み、完全性保護ユニットは、前記端末に傾向がある安全情報のサイズに基づいて、データの復号化及び完全性保護チェック、又は、データの暗号解読を行うように構成される。
【００４０】
本願の実施例の情報指示装置は、送信ユニットを含み、
送信ユニットは、コアネットワークに第１の指示情報を送信し、前記コアネットワークを介して前記第１の指示情報を基地局に送信するように構成され、前記第１の指示情報は、前記端末がサポート又は傾向がある安全情報のサイズを示し、
ここで、前記安全情報が完全性保護チェックコード及び／又は鍵を含む。
【００４１】
本願の実施例において、前記送信ユニットは、ネットワーク登録を行う時に、登録要求メッセージで前記コアネットワークに前記第１の指示情報を送信するように構成される。
【００４２】
本願の実施例において、前記送信ユニットは、ロケーションエリア更新を行う時に、ロケーションエリア更新要求メッセージで前記コアネットワークに前記第１の指示情報を送信するように構成される。
【００４３】
本願の実施例において、前記コアネットワークが前記第１の指示情報を基地局に送信することは、
前記コアネットワークが初期コンテキスト確立の過程において、初期コンテキスト確立過程のメッセージで前記第１の指示情報を基地局に送信することを含む。
【００４４】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００４５】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００４６】
本願の実施例の情報指示装置は、受信ユニットを含み、
受信ユニットは、コアネットワークにより送信された第１の指示情報を受信するように構成され、前記第１の指示情報は、前記端末がサポート又は傾向がある安全情報のサイズを示し、
ここで、前記安全情報が完全性保護チェックコード及び／又は鍵を含む。
【００４７】
本願の実施例において、前記受信ユニットは、初期コンテキスト確立の過程において、初期コンテキスト確立過程のメッセージで前記コアネットワークにより送信された前記第１の指示情報を受信するように構成される。
【００４８】
本願の実施例において、前記装置は、さらに、送信ユニットを含み、
送信ユニットは、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する。
【００４９】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００５０】
本願の実施例において、前記第１の指示情報が前記端末に傾向がある安全情報のサイズを示す場合、
前記装置は、さらに、完全性保護ユニットを含み、完全性保護ユニットは、前記端末に傾向がある安全情報のサイズに基づいて、データの復号化及び完全性保護チェック、又は、データの暗号解読を行うように構成される。
【００５１】
本願の実施例は、プロセッサによって実行されると、上記の情報指示方法を実現するコンピュータ実行可能命令を記憶したコンピュータ記憶媒体を提供する。
【００５２】
本願の実施例の技術案において、端末が基地局に第１の指示情報を送信し、前記第１の指示情報は、前記端末がサポート又は傾向がある安全情報のサイズを示し、又は、端末がコアネットワークに第１の指示情報を送信し、前記コアネットワークを介して前記第１の指示情報を基地局に送信し、前記第１の指示情報は、前記端末がサポート又は傾向がある安全情報のサイズを示し、ここで、前記安全情報のサイズは、前記基地局がデータの復号化及び完全性保護チェック、又はデータの暗号解読を行うために使用される。本願の実施例の技術的解決策によれば、端末が安全情報のサイズ(すなわち、ＭＡＣ−Ｉのサイズおよび/または鍵のサイズ)をネットワーク側に報告することにより、基地局は、データ復号およびパケットの完全性保護チェック、及びにデータの暗号解読を正しく行うことができる。
【図面の簡単な説明】
【００５３】
本明細書で説明する図面は、本開示のさらなる理解を提供するために提供され、本開示の一部を構成し、本開示の例示的な実施例およびその説明は、本開示を説明するために使用され、本開示を限定するようには構成されない。
【図１】本願の実施例における情報指示方法のフローチャート一である。
【図２】本願の実施例における情報指示方法のフローチャート二である。
【図３】本願の実施例における情報指示方法のフローチャート三である。
【図４】本願の実施例における情報指示方法のフローチャート四である。
【図５】本願の実施例における情報指示装置の構成図一である。
【図６】本願の実施例における情報指示装置の構成図二である。
【図７】本願の実施例における情報指示装置の構成図三である。
【図８】本願の実施例における情報指示装置の構成図四である。
【図９】本願の実施例におけるコンピュータデバイスの構成図である。
【発明を実施するための形態】
【００５４】
本願の実施例の特徴及び技術内容をより詳細に理解するために、以下に添付図面を参照して本願の実施例の実施を詳細に説明するが、添付図面は、説明のためのものであり、本願を限定するものではない。
【００５５】
なお、本願の実施例に係る技術的手段は、主に５Ｇ移動通信システムに適用されるが、もちろん、本願の実施例に係る技術的手段は、５Ｇ移動通信システムに限定されるものではなく、他のタイプの移動通信システムにも適用可能である。５Ｇ移動通信システムにおける主な適用シナリオを以下に説明する。
【００５６】
１) ｅＭＢＢシナリオとして、ｅＭＢＢは、ユーザがマルチメディアコンテンツ、サービス、及びデータを入手することを目指しており、そのサービスニーズは非常に急速に伸びている。ｅＭＢＢは、屋内、市区町村など、様々な場面で展開することが可能であり、その業務能力やニーズの差が大きいため、具体的な展開場面に合わせて業務を分析する必要がある。
【００５７】
２) ＵＲＬＬＣシナリオとして、ＵＲＬＬＣの典型的な用途は、工業自動化、電気自動化、遠隔医療操作、交通安全保障などを含む。
【００５８】
３) ｍＭＴＣシナリオとして、ＵＲＬＬＣの典型的な特徴は、高い接続密度、少ないデータ量、遅延非感受性サービス、モジュールの低コスト及び長い寿命などである。
【００５９】
５Ｇでは、ＭＡＣ−Ｉのサイズは３２ ｂｉｔでも６４ ｂｉｔでもよいため、ネットワーク側と端末側がＭＡＣ−Ｉのサイズをネゴシエーションする必要がある。
【００６０】
図１は本願の実施例における情報指示方法のフローチャート一であり、この実施例における情報指示方法が端末側に応用され、図１に示すように、前記情報指示方法は、以下のステップを含み、
ステップ１０１において、端末が基地局に第１の指示情報を送信し、前記第１の指示情報は、前記端末がサポート又は傾向がある安全情報のサイズを示し、ここで、前記安全情報が完全性保護チェックコード及び／又は鍵を含む。
【００６１】
本願の実施例において、前記端末は、携帯電話、タブレット、ラップトップ、デスクトップなど、ネットワークと通信可能な任意の機器であってよい。
【００６２】
本願の実施例において、前記基地局は、５ＧシステムにおけるｇＮＢであってもよいが、これに限定されない。
【００６３】
本願の実施例において、前記第１の指示情報は、前記端末がサポート又は傾向がある安全情報のサイズを示し、例えば、安全情報のサイズは３２ｂｉｔ又は６４ｂｉｔである。
【００６４】
本願の実施例において、前記端末が基地局に第１の指示情報を送信することは、以下の通りであり、
前記端末がＲＲＣ接続確立を行う過程において、ＲＲＣメッセージで前記基地局に前記第１の指示情報を送信し、ここで、前記ＲＲＣメッセージは、ＡＳが安全に活性化される前に前記端末が前記基地局に送信したＲＲＣメッセージである。
【００６５】
例えば、前記ＲＲＣメッセージは、ＲＲＣ接続確立要求メッセージ（ＭＳＧ３）、又はＲＲＣ接続確立完了メッセージ（ＭＳＧ５）である。
【００６６】
本願の実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００６７】
例えば、ＵＥがサポートしているＭＡＣ−Ｉのサイズを報告し、基地局は、ＵＥが報告したＵＥがサポートしているＭＡＣ−Ｉのサイズに基づいて、基地局とＵＥとの間のためのＭＡＣ−Ｉのサイズを選択し、ＡＳ安全活性化コマンドにおいて、ＵＥに最後に選択されたＡＳ層のＭＡＣ−Ｉのサイズを構成する。なお、上記の例において、ＭＡＣ−Ｉを鍵に置き換えても同様に適用することができる。
【００６８】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００６９】
例えば、ＵＥが傾向を持つＭＡＣ−Ｉサイズ報告し、端末が、そのＵＥの傾向のＭＡＣ−Ｉサイズに基づいて、あるベアラに対してデータの完全性保護を行う場合、指示されたＭＡＣ−Ｉサイズを用いてパケット化を行い、基地局が、そのＵＥの傾向のＭＡＣ−Ｉサイズに基づいて、データの解析および完全性保護チェックを行う。なお、上記の例において、ＭＡＣ−Ｉを鍵に置き換えても同様に適用することができる。
【００７０】
図２は本願の実施例における情報指示方法のフローチャート二であり、この実施例の情報指示方法が基地局側に応用され、図２に示すように、前記情報指示方法が以下のステップを含み、
ステップ２０１において、基地局が端末により送信された第１の指示情報を受信することを含み、前記第１の指示情報は、前記端末がサポート又は傾向がある安全情報のサイズを示し、ここで、前記安全情報が完全性保護チェックコード及び／又は鍵を含む。
【００７１】
本願の実施例において、前記端末は、携帯電話、タブレット、ラップトップ、デスクトップなど、ネットワークと通信可能な任意の機器であってよい。
【００７２】
本願の実施例において、前記基地局は、５ＧシステムにおけるｇＮＢであってもよいが、これに限定されない。
【００７３】
本願の実施例において、前記第１の指示情報は、前記端末がサポート又は傾向がある安全情報のサイズを示し、例えば、安全情報のサイズは３２ｂｉｔ又は６４ｂｉｔである。
【００７４】
本願の実施例において、前記基地局が端末により送信された第１の指示情報を受信することは、以下の通りであり、
前記端末がＲＲＣ接続確立を行う過程において、前記基地局がＲＲＣメッセージで前記端末により送信された前記第１の指示情報を受信し、ここで、前記ＲＲＣメッセージは、ＡＳが安全に活性化される前に前記端末が前記基地局に送信したＲＲＣメッセージである。
【００７５】
例えば、前記ＲＲＣメッセージは、ＲＲＣ接続確立要求メッセージ、又はＲＲＣ接続確立完了メッセージである。
【００７６】
ステップ２０２において、前記基地局は、前記安全情報のサイズに基づいて、データの復号化及び完全性保護チェック、又は、データの暗号解読を行う。
【００７７】
本願の実施例において、切替が発生する場合、上記の基地局がソース基地局であり、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む。
【００７８】
このように、目標基地局は、前記安全情報のサイズに基づいて、データの復号化及び完全性保護チェック、又は、データの暗号解読を行うことができる。
【００７９】
本願の実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００８０】
例えば、ＵＥがサポートしているＭＡＣ−Ｉのサイズを報告し、基地局は、ＵＥが報告したＵＥがサポートしているＭＡＣ−Ｉのサイズに基づいて、基地局とＵＥとの間のためのＭＡＣ−Ｉのサイズを選択し、ＡＳ安全活性化コマンドにおいて、ＵＥに最後に選択されたＡＳ層のＭＡＣ−Ｉのサイズを構成する。なお、上記の例において、ＭＡＣ−Ｉを鍵に置き換えても同様に適用することができる。
【００８１】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００８２】
例えば、ＵＥが傾向を持つＭＡＣ−Ｉサイズ報告し、端末が、そのＵＥの傾向のＭＡＣ−Ｉサイズに基づいて、あるベアラに対してデータの完全性保護を行う場合、指示されたＭＡＣ−Ｉサイズを用いてパケット化を行い、基地局が、そのＵＥの傾向のＭＡＣ−Ｉサイズに基づいて、データの解析および完全性保護チェックを行う。なお、上記の例において、ＭＡＣ−Ｉを鍵に置き換えても同様に適用することができる。
【００８３】
図３は本願の実施例における情報指示方法のフローチャート三であり、この実施例の情報指示方法が端末側に応用され、図３に示すように、前記情報指示方法は、以下のステップを含み、
ステップ３０１において、端末がコアネットワークに第１の指示情報を送信し、前記コアネットワークを介して前記第１の指示情報を基地局に送信し、前記第１の指示情報は、前記端末がサポート又は傾向がある安全情報のサイズを示し、ここで、前記安全情報が完全性保護チェックコード及び／又は鍵を含む。
【００８４】
本願の実施例において、前記端末は、携帯電話、タブレット、ラップトップ、デスクトップなど、ネットワークと通信可能な任意の機器であってよい。
【００８５】
本願の実施例において、前記基地局は、５ＧシステムにおけるｇＮＢであってもよいが、これに限定されない。
【００８６】
本願の実施例において、前記第１の指示情報は、前記端末がサポート又は傾向がある安全情報のサイズを示し、例えば、安全情報のサイズは３２ｂｉｔ又は６４ｂｉｔである。
【００８７】
本願の実施例において、前記端末がコアネットワークに第１の指示情報を送信することは、以下の方式で実現され、
方式１として、前記端末がネットワーク登録を行う時に、登録要求メッセージで前記コアネットワークに前記第１の指示情報を送信する。
【００８８】
方式２として、前記端末は、ロケーションエリア更新を行う時に、ロケーションエリア更新要求メッセージで前記コアネットワークに前記第１の指示情報を送信する。
【００８９】
本願の実施例において、前記コアネットワークが前記第１の指示情報を基地局に送信することは、以下の通りであり、
前記コアネットワークが初期コンテキスト確立の過程において、初期コンテキスト確立過程のメッセージで前記第１の指示情報を基地局に送信する。
【００９０】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【００９１】
例えば、ＵＥがそれがサポートするＭＡＣ−Ｉのサイズを報告し、
コアネットワークは、ＵＥによって報告されたＵＥによってサポートされるＭＡＣ−Ｉサイズに従って、コアネットワークとＵＥとの間のためのＭＡＣ−Ｉサイズを選択し、ＮＡＳ安全活性化コマンドにおいて最後に選択されたＮＡＳ層のＭＡＣ−ＩサイズをＵＥに構成する。なお、上記の例において、ＭＡＣ−Ｉを鍵に置き換えても同様に適用することができる、
基地局は、ＵＥによって報告されたＵＥによってサポートされるＭＡＣ−Ｉサイズに従って、基地局とＵＥとの間のためのＭＡＣ−Ｉサイズを選択し、ＡＳ安全活性化コマンドにおいて、最後に選択されたＡＳ層ＭＡＣ−ＩサイズのためにＵＥに構成する。なお、上記の例において、ＭＡＣ−Ｉを鍵に置き換えても同様に適用することができる。
【００９２】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【００９３】
例えば、ＵＥが傾向を持つＭＡＣ−Ｉサイズ報告し、端末が、そのＵＥの傾向のＭＡＣ−Ｉサイズに基づいて、あるベアラに対してデータの完全性保護を行う場合、指示されたＭＡＣ−Ｉサイズを用いてパケット化を行い、基地局が、そのＵＥの傾向のＭＡＣ−Ｉサイズに基づいて、データの解析および完全性保護チェックを行う。なお、上記の例において、ＭＡＣ−Ｉを鍵に置き換えても同様に適用することができる。
【００９４】
図４は本願の実施例における情報指示方法のフローチャート四であり、この情報指示方法が基地局側に応用され、図４に示すように、前記情報指示方法は、以下のステップを含み、
ステップ４０１において、基地局がコアネットワークにより送信された第１の指示情報を受信し、前記第１の指示情報は、前記端末がサポート又は傾向がある安全情報のサイズを示し、ここで、前記安全情報が完全性保護チェックコード及び／又は鍵を含む。
【００９５】
本願の実施例において、前記端末は、携帯電話、タブレット、ラップトップ、デスクトップなど、ネットワークと通信可能な任意の機器であってよい。
【００９６】
本願の実施例において、前記基地局は、５ＧシステムにおけるｇＮＢであってもよいが、これに限定されない。
【００９７】
本願の実施例において、前記第１の指示情報は、前記端末がサポート又は傾向がある安全情報のサイズを示し、例えば、安全情報のサイズは３２ｂｉｔ又は６４ｂｉｔである。
【００９８】
本願の実施例において、前記基地局がコアネットワークにより送信された第１の指示情報を受信することは、以下の通りであり、
前記コアネットワークの初期コンテキスト確立の過程において、前記基地局が初期コンテキスト確立過程のメッセージで前記コアネットワークにより送信された前記第１の指示情報を受信する。
【００９９】
ステップ４０２において、前記基地局は、前記安全情報のサイズに基づいて、データの復号化及び完全性保護チェック、又は、データの暗号解読を行う。
【０１００】
本願の実施例において、切替が発生する場合、上記の基地局がソース基地局であり、前記方法は、さらに、
前記基地局が前記第１の指示情報を切替過程のメッセージで目標基地局に送信し、又は、
前記基地局が前記第１の指示情報を切替過程のメッセージでコアネットワークに送信して、前記コアネットワークが切替過程のメッセージで前記第１の指示情報を目標基地局に送信することを含む。
【０１０１】
このように、目標基地局は、前記安全情報のサイズに基づいて、データの復号化及び完全性保護チェック、又は、データの暗号解読を行うことができる。
【０１０２】
本願の実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【０１０３】
本願の実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【０１０４】
図５は本願の実施例における情報指示装置の構成図一であり、この実施例の情報指示装置が端末側に応用され、図５に示すように、前記情報指示装置は、送信ユニット５０１を含み、
送信ユニット５０１は、基地局に第１の指示情報を送信するように構成され、前記第１の指示情報は、前記端末がサポート又は傾向がある安全情報のサイズを示し、
ここで、前記安全情報が完全性保護チェックコード及び／又は鍵を含む。
【０１０５】
ある実施例において、前記送信ユニット５０１は、ＲＲＣ接続確立を行う過程において、ＲＲＣメッセージで前記基地局に前記第１の指示情報を送信するように構成され、
ここで、前記ＲＲＣメッセージは、ＡＳが安全に活性化される前に前記端末が前記基地局に送信したＲＲＣメッセージである。
【０１０６】
ある実施例において、前記ＲＲＣメッセージは、ＲＲＣ接続確立要求メッセージ、又はＲＲＣ接続確立完了メッセージである。
【０１０７】
ある実施例において、前記第１の指示情報が前記端末がサポートする安全情報のサイズを示す場合、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【０１０８】
ある実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【０１０９】
図５に示す情報指示装置の各ユニットの実現機能は、上述した情報指示方法の説明を参酌して理解されるべきである。図５に示す情報指示装置における各ユニットの機能は、プロセッサ上で動作するプログラムによって実現してもよいし、具体的な論理回路によって実現してもよい。
【０１１０】
図６は本願の実施例における情報指示装置の構成図二であり、この実施例の情報指示装置が基地局側に応用され、図６に示すように、前記情報指示装置は、受信ユニット６０１を含み、
前記受信ユニット６０１は、端末により送信された第１の指示情報を受信するように構成され、前記第１の指示情報は、前記端末がサポート又は傾向がある安全情報のサイズを示し、ここで、前記安全情報が完全性保護チェックコード及び／又は鍵を含む。
【０１１１】
ある実施例において、前記受信ユニット６０１は、ＲＲＣ接続確立を行う過程において、ＲＲＣメッセージで前記端末により送信された前記第１の指示情報を受信するように構成され、
ここで、前記ＲＲＣメッセージは、ＡＳが安全に活性化される前に前記端末が前記基地局に送信したＲＲＣメッセージである。
【０１１２】
ある実施例において、前記ＲＲＣメッセージは、ＲＲＣ接続確立要求メッセージ、又はＲＲＣ接続確立完了メッセージである。
【０１１３】
ある実施例において、前記装置は、さらに、送信ユニット６０３を含み、
送信ユニット６０３は、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する。
【０１１４】
ある実施例において、前記第１の指示情報が前記端末がサポートする安全情報のサイズを示す場合、
前記装置は、さらに、選択ユニットを含み、選択ユニット（図示せず）は、前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するように構成される。
【０１１５】
ある実施例において、前記第１の指示情報が前記端末に傾向がある安全情報のサイズを示す場合、
前記装置は、さらに、完全性保護ユニット６０２を含み、完全性保護ユニット６０２は、前記端末に傾向がある安全情報のサイズに基づいて、データの復号化及び完全性保護チェック、又は、データの暗号解読を行うように構成される。
【０１１６】
図６に示す情報指示装置の各ユニットの実現機能は、上述した情報指示方法の説明を参酌して理解されるべきである。図６に示す情報指示装置における各ユニットの機能は、プロセッサ上で動作するプログラムによって実現してもよいし、具体的な論理回路によって実現してもよい。
【０１１７】
図７は本願の実施例における情報指示装置の構成図三であり、この実施例の情報指示装置が端末側に応用され、図７に示すように、前記情報指示装置は、送信ユニット７０１を含み、
送信ユニット７０１は、コアネットワークに第１の指示情報を送信し、前記コアネットワークを介して前記第１の指示情報を基地局に送信するように構成され、前記第１の指示情報は、前記端末がサポート又は傾向がある安全情報のサイズを示し、
ここで、前記安全情報が完全性保護チェックコード及び／又は鍵を含む。
【０１１８】
ある実施例において、前記送信ユニット７０１は、ネットワーク登録を行う時に、登録要求メッセージで前記コアネットワークに前記第１の指示情報を送信するように構成される。
【０１１９】
ある実施例において、前記送信ユニット７０１は、ロケーションエリア更新を行う時に、ロケーションエリア更新要求メッセージで前記コアネットワークに前記第１の指示情報を送信するように構成される。
【０１２０】
ある実施例において、前記コアネットワークが前記第１の指示情報を基地局に送信することは、
前記コアネットワークが初期コンテキスト確立の過程において、初期コンテキスト確立過程のメッセージで前記第１の指示情報を基地局に送信することを含む。
【０１２１】
ある実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【０１２２】
ある実施例において、前記第１の指示情報が前記端末に傾向がある安全情報のサイズを示す場合、
前記第１の指示情報は、前記基地局が前記端末に傾向がある安全情報のサイズに基づいて、データの復号化および完全性保護チェック、又は、データの暗号解読を行うために使用される。
【０１２３】
図７に示す情報指示装置の各ユニットの実現機能は、上述した情報指示方法の説明を参酌して理解されるべきである。図７に示す情報指示装置における各ユニットの機能は、プロセッサ上で動作するプログラムによって実現してもよいし、具体的な論理回路によって実現してもよい。
【０１２４】
図８は本願の実施例における情報指示装置の構成図四であり、この実施例の情報指示装置が基地局側に応用され、図８に示すように、前記情報指示装置が受信ユニット８０１を含み、
受信ユニット８０１は、コアネットワークにより送信された第１の指示情報を受信するように構成され、前記第１の指示情報は、前記端末がサポート又は傾向がある安全情報のサイズを示し、
ここで、前記安全情報が完全性保護チェックコード及び／又は鍵を含む。
【０１２５】
ある実施例において、前記受信ユニット８０１は、初期コンテキスト確立の過程において、初期コンテキスト確立過程のメッセージで前記コアネットワークにより送信された前記第１の指示情報を受信するように構成される。
【０１２６】
ある実施例において、ここで、前記装置は、さらに、送信ユニット８０３を含み、
送信ユニット８０３は、前記第１の指示情報を切替過程のメッセージで目標基地局に送信し、又は、前記第１の指示情報を切替過程のメッセージでコアネットワークに送信して、前記コアネットワークが切替過程のメッセージで前記第１の指示情報を目標基地局に送信する。
【０１２７】
ある実施例において、前記第１の指示情報が前記端末がサポートする安全情報のサイズを示す場合、
前記第１の指示情報は、前記コアネットワークが前記端末がサポートする安全情報のサイズに基づいて、前記コアネットワークと前記端末との間のための安全情報のサイズを選択し、ＮＡＳ安全活性化コマンドにおいて前記コアネットワークにより選択されたＮＡＳ層のための安全情報のサイズを前記端末に構成するために使用され、及び／又は、
前記第１の指示情報は、前記基地局が前記端末がサポートする安全情報のサイズに基づいて、前記基地局と前記端末との間のための安全情報のサイズを選択し、ＡＳ安全活性化コマンドにおいて前記基地局により選択されたＡＳ層のための安全情報のサイズを前記端末に構成するために使用される。
【０１２８】
ある実施例において、前記第１の指示情報が前記端末に傾向がある安全情報のサイズを示す場合
前記装置は、さらに、完全性保護ユニット８０２を含み、完全性保護ユニット８０２は、前記端末に傾向がある安全情報のサイズに基づいて、データの復号化及び完全性保護チェック、又は、データの暗号解読を行うように構成される。
【０１２９】
図８に示す情報指示装置の各ユニットの実現機能は、上述した情報指示方法の説明を参酌して理解されるべきである。図８に示す情報指示装置における各ユニットの機能は、プロセッサ上で動作するプログラムによって実現してもよいし、具体的な論理回路によって実現してもよい。
【０１３０】
なお、本願の実施例における上記情報指示装置は、ソフトウェア機能ブロックの形で実現され、独立した製品として販売又は使用される場合には、一つのコンピュータ読み取り可能な記憶媒体に格納されてもよい。このような理解に基づいて、本願の実施例の技術的解決策の本質または従来技術に寄与する部分は、１つの記憶媒体に記憶されたソフトウェア製品の形態で具現化されてもよく、このソフトウェア製品は、いくつかの命令を含み、１つのコンピュータデバイス(パーソナルコンピュータ、サーバ、またはネットワークデバイスなどであってもよい)に、本願の様々な実施例の記載の方法の全てまたは一部を実行させる。また、前記記憶媒体としては、Ｕ字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本願の実施例は、任意の特定のハードウェア及びソフトウェアの組み合わせに限定されない。
【０１３１】
従って、本願の実施例は、プロセッサによって実行されたときに本願の実施例に係る上記情報指示方法を実現するコンピュータ実行可能命令を記憶したコンピュータ記憶媒体をさらに提供する。
【０１３２】
図９は、本願の実施例のコンピュータデバイスの構成を示す図であり、このコンピュータデバイスは端末であってもネットワーク装置であってもよい。図９に示すように、コンピュータデバイス１００は、１つ又は複数の(図面には１つのみ示す)プロセッサ１００２ (プロセッサ１００２は、マイクロプロセッサ( ＭＣＵ，Ｍｉｃｒｏ Ｃｏｎｔｒｏｌｌｅｒ Ｕｎｉｔ )又はプログラマブルロジックデバイス( ＦＰＧＡ，Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図９に示す構成は、例示であり、上述した電子装置の構成に限定されないことは、当業者に理解されるところである。例えば、コンピュータ装置１００は、図９に示されるよりも多いか少ない構成要素をさらに含んでもよく、又は図９に示されるものとは異なる構成を有してもよい。
【０１３３】
メモリ１００４は、アプリケーションのソフトウェアプログラム及びモジュール、例えば、本願の実施例における方法に対応するプログラム命令/モジュールを格納するために使用されてもよく、プロセッサ１００２は、メモリ１００４内に格納されたソフトウェアプログラム及びモジュールを実行することによって、様々な機能アプリケーション及びデータ処理を実行し、即ち、上述した方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１３４】
伝送装置１００６は、ネットワークを介してデータを送受信するための装置である。上記のネットワークの具体例は、コンピュータ装置１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１３５】
本願の実施例に記載した技術的手段同士は、矛盾しない限り任意に組み合わせることができる。
【０１３６】
本願で提供されるいくつかの実施例では、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１３７】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０１３８】
また、本願の各実施例における各機能部は、全てが１つの第２の処理部に集積されていてもよいし、各部がそれぞれ単独で１つのユニットとして構成されていてもよいし、２つ以上のユニットが１つのユニットに集積されていてもよい。上記の統合されたユニットは、ハードウェアの形態で実現されてもよいし、ハードウェア及びソフトウェア機能ユニットの形態で実現されてもよい。
【０１３９】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。
【図１】
2021511731.tif 000003
【図２】
2021511731.tif 000004
【図３】
2021511731.tif 000005
【図４】
2021511731.tif 000006
【図５】
2021511731.tif 000007
【図６】
2021511731.tif 000008
【図７】
2021511731.tif 000009
【図８】
2021511731.tif 000010
【図９】
2021511731.tif 000011
【国際調査報告】
2021511731.tif 000012
2021511731.tif 000013
2021511731.tif 000014
2021511731.tif 000015